(57)【要約】【課題】  直前まで上段側の引出しに収納されていた物品整理が容易で、高さが著しく大きな物品であっても引出し内に収納できる使い勝手の良い引出しキャビネットを提供を提供すること。【解決手段】  前面が開放した箱体２の内方に、前面板４背後において底面が開放された引出し３を、前後に進退可能となるよう上下に複数段配設し、引出し３内側に着脱自在にトレー８を配設させる。これにより上段の引出し３のトレー８に直前まで収納されていた物品をそのまま別の場所へ移すことが可能となる。【選択図】図１
2005334004.tif 000002
【特許請求の範囲】
【請求項１】
前面が開放した箱体の内方に、前面板背後において底面が開放された引出しを、前後に進退可能となるよう上下に複数段配設し、同引出し内側に着脱自在にトレーを配設させて成る引出しキャビネット。
【請求項２】
前記引出しを、前記前面板と背面板とを側面の結合部材にて結合し形成させたことを特徴とする請求項１に記載の引出しキャビネット。
【請求項３】
前記前面板と背面板とに係合部を設け、前記トレーにはその四角状の対向する２辺に同係合部と係合させる被係合部を形成させたことを特徴とする請求項１または請求項２いずれかに記載の引出しキャビネット。
【請求項４】
前記係合部を、前記前面板及び背面板それぞれに上下複数段設けたことを特徴とする請求項１乃至請求項３いずれかに記載の引出しキャビネット。
【請求項５】
前記前面板に、隣接する引出しが同時に進退するように連結可能な連結手段を設けたことを特徴とする請求項１乃至請求項４いずれかに記載の引出しキャビネット。
【発明の詳細な説明】
【技術分野】
【０００１】
本発明は、キッチン流し台等に適用して好適な引出しキャビネットに関する。
【背景技術】
【０００２】
従来より、キッチン流し台等の引出しキャビネットとして、前面が開放した箱体と、同箱体の内方に前面から引き出し可能な引出しを、前後に進退可能となるよう上下に複数段配設されている引出しキャビネットが知られている。上記引出しキャビネットにおいては、例えば大形の鍋のような、各引出しの深さよりも高さの大きい物品を引出し内に収納することが不可能であった
そこで、例えば実開平６−８１３３６公報には、一つの引出しの深さよりも深い物品を収納する技術が開示されている。 具体的には、図４に示すように、引出しキャビネット１００は、前面が開放したキャビネット箱体１０１と、該キャビネット箱体１０１の前面から引き出し可能で上下に複数段設置されている引出し１０２、１０７とを備えており、上段側の引出し１０２の底板１０３を着脱自在とすると共に、該上段側の引出し１０２と、その直下の引出し１０７とを一体に進退させうるように連結可能な連結手段を設けている。連結手段は上段側引出しの底板１０３をはずし、該底板１０３を該上段側引出し１０２のガイドスリット１０４を通して下段側の引出し１０７と連結するようにしているので、上段側とその直下の引出し１０２、１０７とを連結し、一体に進退させる事ができ、上段側引出し１０２の深さとその直下の引出し１０７の深さを合わせた深さの物品を収納できることにおいて一応の効果を奏している。
【０００３】
上記引出しキャビネット１００の場合、大型の物品を収納するに際しては、底板１０３を囲枠１０６から抜き出し、プレート１０５のスリット１０４から下段引出し１０７内に落し込む。下段引出し１０７の底板１０８には、前面板と平行に突起（係止部）１０９が設けられており、底板１０３の下端はこの突起（係止部）１０９に係合される。このように底板１０３で連結された該上段引出し１０２および該下段引出し１０７は、一体に前後進可能となっている。そこで、引出し１０２、１０７を一体に引き出し、物品を該上段引出し１０２の上方から該下段引出し１０７内に入れ、収納する。このようにして、物品の上部が上段引出し１０２に納まる。
【０００４】
しかしながら、上段側の引出し１０２の底板１０３を外すことにより、高さの大きな物品であっても、その上部を上段側の引出し１０２内に入り込ませることにより引出しキャビネット１００内に収納できることは、逆に上段側の引出し１０２の底板１０３を外す点において、新たに、直前まで上段側の引出し１０２に収納されていた物品の整理収納ができないという問題をもたらしている。底板１０３を囲枠１０６から抜き出し、上段側の引出し１０２の底板１０３を外すことにより、プレート１０５のスリット１０４から下段引出し１０７内に落し込んで、高さの大きな物品上部を上段側の引出し内に入り込ませるであるからである。
【０００５】
したがって、当該引出しキャビネット１００以外に収納スペース備えたシステムキッチンへの適応を考えてみると、例えば一時的な高さの大きな物品収納のために、直前まで上段側の引出しに収納されていた物品整理に手間がかかるという問題を発生する。
【特許文献１】実開平６−８１３３６公報
【発明の開示】
【発明が解決しようとする課題】
【０００６】
本願発明は、上記背景技術に鑑みてなされたものであり、その課題は、直前まで上段側の引出しに収納されていた物品整理が容易で、高さが著しく大きな物品であっても引出し内に収納できる使い勝手の良い引出しキャビネットを提供を提供することである。
【課題を解決するための手段】
【０００７】
上記課題を解決するために、本願発明による引出しキャビネットは、前面が開放した箱体の内方に、前面板背後において底面が開放された引出しを、前後に進退可能となるよう上下に複数段配設し、同引出し内側に着脱自在にトレーを配設させている。
【０００８】
そして、前記引出しを、前記前面板と背面板とを側面の結合部材にて結合し形成させるのが好ましい。
【０００９】
また、前記前面板と背面板とに係合部を設け、前記トレーにはその四角状の対向する２辺に同係合部と係合させる被係合部を形成させることが好ましい。
【００１０】
また、前記係合部を、前記前面板及び背面板それぞれに上下複数段設けることが好ましい。
【００１１】
また、前記前面板に、隣接する引出しが同時に進退するように連結可能な連結手段を設けることが好ましい。
【発明の効果】
【００１２】
本願発明の引出しキャビネットは、前後に進退可能となるよう、前面が開放した箱体内方に上下に複数段配設される、前面板背後において底面が開放された引出し内側に設けられるトレーの上段のものを離脱させ、下段のものに高さの大きい物品を裁置して収納されるので、上段の引出しのトレーに直前まで収納されていた物品をそのまま別の場所へ移すことが可能となり、直前まで上段側の引出しに収納されていた物品整理が容易で、高さが著しく大きな物品であっても引出し内に収納できる使い勝手の良い引出しキャビネットが得られる。
【００１３】
そして、前面板と背面板とを側面の結合部材にて結合して引出しが形成されるので、当該結合部材の長さを変えて引出しの奥行き長さを変えることが出来、以って、引出しキャビネット全体の大きさ変更に容易に対応できる。
【００１４】
また、前面板と背面板とに係合部を設け、トレーにはその四角状の対向する２辺に同係合部と係合させる被係合部を形成した結果として、四角状トレーの対向する２辺に形成された被係合部を前面板及び背面板の係合部と係合させ、少ない係合手段をもって引出し内部に物品を収納させることが可能となる。
【００１５】
また、係合部を、前面板及び背面板それぞれに上下複数段設けた引出しにおいては、四角状トレーの被係合部を前面板及び背面板の、上下複数段の係合部の何れがのものと係合させ、引出し内部の適切な高さ位置に物品を収納可能となるという効果を奏する。
【００１６】
また、前面板に、隣接する引出しが同時に進退するように連結可能な連結手段を設けた結果として、隣接する引出し間にまたがる高さの大きな物品を収納させた状態で、連結手段を介して連結された隣接する引出しが同時に進退することとなり使い勝手がより向上する。
【発明を実施するための最良の形態】
【００１７】
本発明の上記および他の効果、特徴および利点を明確にすべく、添付した図面を参照しながら、本発明の実施の形態を以下に詳述する。 図１を参照すると、本発明の一実施例としての引出しキャビネットの引出しを背面から見た斜視図が示されている。図２および図３は、図１に示した引出しキャビネットの前面板の説明図である。
【００１８】
この実施形態の引出しキャビネット１は、前面が開放した箱体２の内方に、前面板４背後において底面が開放された引出し３を、前後に進退可能となるよう上下に複数段配設し、同引出し３内側に着脱自在にトレー８を配設させて成る。
【００１９】
また、前記引出し３を、前記前面板４と背面板５とを側面の結合部材６、６にて結合し形成させてもいる。また、前記前面板４と背面板５とに係合部７、７を設け、前記トレー８にはその四角状の対向する２辺８１、８１に同係合部７、７と係合させる被係合部９、９を形成させてもいる。また、前記係合部７を、前記前面板４及び背面板７それぞれに上下複数段設けてもいる。また、前記前面板４に、隣接する引出し３が同時に進退するように連結可能な連結手段を設けてもいる。
【００２０】
詳しくは、この引出しキャビネット１は、例えばキッチン流し台等の収納スペースを形成するもので、前面が開放した、木質材料にて形成された箱体２内方に、底面が開放された引出し３が前後に進退可能となるよう上下に３段設けられ、引出し３内側に着脱自在にトレー８を有して構成されている。なお、この箱体２の側壁には、引出し３の側面に設けられたスライド片（図示せず）を円滑にスライド移動させるレールが設けられる。
【００２１】
引出し３は、前側に取っ手（図示せず）が設けられた木質板製の前面板４と、木質板製の背面板５との間を結合部材６、６となる鋼板製の側面板にて結合し、底面が開放された状態に平面視四角状に形成され、さらにその前面板４と背面板５との間に後述するトレー８が配設されて成る。上記のごとく、引出し３が前面板４と背面板５とを側面の結合部材６にて結合して形成することにて、例えば引出しキャビネット１全体を異なる大きさとする場合、結合部材６の長さを変えて引出しの奥行き長さを変更することができる。
【００２２】
また、前面板４と背面板５の内面には、図２に示すように、係合部７、７となる略コ字状に折曲された棒状部材の両端が固着されており、図１において矢印で示すように、同係合部７、７にトレー８の対向する２辺８１、８１をそれぞれ懸架し着脱自在に係合させる。なお、結合部材６にあっては、上記の鋼板製の側面板以外に、図１に示す最下段の引出し３のように、棒状部材６１などを用いても良い。
【００２３】
前面板４の上端部及び下端部には、連結手段となる板金製の連結金具１０をスライドガイド及び固定させて、隣接する引出し３、３が同時に進退するように固定させたり分離させたりする、同じく連結手段の固定具となるねじ１１、１１が、図３に示すように前面板４に埋設固定された鬼目ナット１１ａに螺着される。
【００２４】
トレー８は、板金あるいは合成樹脂等にて形成される、上面開口の長方形状薄箱体であり、この場合、短辺となる対向する２辺８１、８１には、上記係合部７となる略コ字状に折曲された棒状部材に懸架し係合させる折り返し片の被係合部９、９が一体に形成されている。これにより、四角状のトレー８の対向する２辺８１、８１に形成された被係合部９、９を前面板４及び背面板５の係合部７、７と係合させ、少ない係合手段をもって引出し内部に物品を収納させることが可能となる。また、被係合部９、９を 折り返し片にて形成することにて、トレー８を、縦壁厚さを薄くして形成しても全体の剛性を確保できるという効果を奏する。
【００２５】
連結金具１０は、図３に示すように、中心線上にねじ１１のガイド部となる溝を有し、一端及び中間位置に連結片を有した長方形状の板金部材である。この連結金具１０及びねじ１１にて形成される連結手段により、隣接する引出し３を分離させるときは、この連結金具１０を下側に下げて、下側の引出し３の上端部に設けられたねじ３にて中間位置の連結片を引出し３に固定させる。また、隣接する引出し３を連結させるときには、この連結金具１０を上側に上げて、上側の引出し３の下端部に設けられたねじ３及び下側の引出し３の上端部に設けられたねじ３をねじ締めすることにて、上下の引出し３、３にそれぞれに連結金具１０一端の連結片及び溝の両側を固定させる。
【００２６】
かかる引出しキャビネット１においては、前面が開放した箱体２の内方に、前面板４背後において底面が開放された引出し３が、前述の側壁に設けられたレールに沿って前後に進退可能となるよう上下に複数段配設される。そして、着脱自在に引出し３内側に配設されたトレー８に物品整理を収納する。これにより、前後に進退可能となるよう、前面が開放した箱体２内方に上下に複数段配設される、前面板４背後において底面が開放された引出し３内側に設けられるトレー８の上段のものを離脱させ、下段のものに高さの大きい物品を裁置して収納することができることとなり、上段の引出し３のトレー８に直前まで収納されていた物品をそのまま別の場所へ移すことが可能となるのである。
【００２７】
上記のごとく、係合部７を、前面板４及び背面板４それぞれに上下複数段設けた引出し３においては、例えば小型の物品を収納する場合には、四角状トレー８の被係合部９を前面板４及び背面板４の、上下複数段の係合部７、７のうち、上側の係合部７と係合させ、トレー８内に物品を整理裁置させ、また、大型の物品を収納する場合には、下側の係合部７と係合させてトレー８内に物品を整理裁置させ、引出し３内部の適切な高さ位置に物品を収納させるのである。さらに、前面板４に、隣接する引出しが同時に進退するように連結可能な連結手段を設けることにて、隣接する引出し３、３間にまたがる高さの大きな物品を収納させた状態で、連結手段を介して連結された隣接する引出し３、３が同時に進退することとなるのである。
【００２８】
したがって以上説明したように、引出しキャビネット１によると、前後に進退可能となるよう、前面が開放した箱体２内方に上下に複数段配設される、前面板４背後において底面が開放された引出し３内側に設けられるトレー８の上段のものを離脱させ、下段のものに高さの大きい物品を裁置して収納されるので、上段の引出し３のトレー８に直前まで収納されていた物品をそのまま別の場所へ移すことが可能となり、直前まで上段側の引出し３に収納されていた物品整理が容易で、高さが著しく大きな物品であっても引出し３内に収納できる使い勝手の良い引出しキャビネットが得られる。
【００２９】
そして、前面板４と背面板５とを側面の結合部材６にて結合して引出し３が形成されるので、当該結合部材６の長さを変えて引出し３の奥行き長さを変えることが出来、以って、引出しキャビネット１全体の大きさ変更に容易に対応できる。
【００３０】
また、前面板４と背面板５とに係合部７を設け、トレー８にはその四角状の対向する２辺８１、８１に同係合部７と係合させる被係合部９を形成した結果として、四角状トレー８の対向する２辺に形成された被係合部９を前面板４及び背面板５の係合部７、７と係合させ、少ない係合手段をもって引出し内部に物品を収納させることが可能となる。
【００３１】
また、係合部７を、前面板４及び背面板５それぞれに上下複数段設けた引出し３においては、四角状トレー８の被係合部９を前面板４及び背面板５の、上下複数段の係合部の何れがのものと係合させ、引出し３内部の適切な高さ位置に物品を収納可能となるという効果を奏する。
【００３２】
また、前面板４に、隣接する引出しが同時に進退するように連結可能な連結手段を設けた結果として、隣接する引出し間にまたがる高さの大きな物品を収納させた状態で、連結手段を介して連結された隣接する引出しが同時に進退することとなり使い勝手がより向上する。
【００３３】
なお、本発明は上記各実施例に限定されず、本発明の技術思想の範囲内において、各実施例は適宜変更され得ることは明らかである。
【図面の簡単な説明】
【００３４】
【図１】本願発明の一実施形態である引出しキャビネットの引出しを背面から見た斜視図。
【図２】同引出しキャビネットの要部である前面板の説明図。
【図３】同引出しキャビネット前面板の連結手段の説明図。
【図４】従来例引出しキャビネット全体の概略構成を示す斜視図。
【符号の説明】
【００３５】
１      引出しキャビネット
２      箱体
３      引出し
４      前面板
５      背面板
６      結合部材
７      係合部
８      トレー
９      被係合部
１０      連結金具（連結手段）
１１      ねじ（連結手段）
【図１】
2005334004.tif 000003
【図２】
2005334004.tif 000004
【図３】
2005334004.tif 000005
【図４】
2005334004.tif 000006